(57)【特許請求の範囲】
【請求項１】
複数のネットワークから供給される情報を処理の異なる複数の装置間でＬＡＮ  を介してディジタル交換を行うディジタル交換装置において、該装置は、
供給される情報を所望の各供給先のネットワークに切り換える交換手段、
該交換手段との情報のやり取りをプロトコルに応じて処理するとともに、該情報を接続するネットワークに対応したそれぞれの情報に変換する第１の情報変換手段、
第１の情報変換手段と前記ネットワークの一つとの情報の入出力を行う第１のインターフェース手段、
該装置の状態異常に応じて前記ネットワークの接続を切り換える第１の切換手段、および
該装置の状態の異常検知に応じて該切換手段を制御する制御手段を含む第１の情報交換手段と、
前記ＬＡＮ  を介して前記交換手段とやり取りする情報を変換する第２の情報変換手段、
該第２の情報交換手段と接続するネットワークの一つとの情報の入出力を行う第２のインターフェース手段、および
第２のインターフェース手段の接続先であるネットワークと接続するとともに、第２のインターフェース手段との接続と該装置の異常時における別ルートの回路の接続を第１の情報交換手段からの情報に応じて切り換える第２の切換手段を含む第２の情報交換手段と、
第１の情報交換手段と第２の情報交換手段とにそれぞれＬＡＮ  接続する複数ラインを有するＬＡＮ  インターフェース手段とを含み、
前記ＬＡＮ  インターフェース手段においては、第１のインターフェース手段と通常時および異常時の伝送ラインとをそれぞれ接続するとともに、第１の切換手段からの切換情報を供給する情報提供ラインを第１の情報交換手段側のＬＡＮ  インターフェース手段と接続し、第２のインターフェース手段との通常時用のライン接続、および第２の切換手段との異常時用のライン接続を行うとともに、第１の切換手段からの切換情報を第２の切換手段に供給するラインを第２の情報交換手段側のＬＡＮ  インターフェース手段と接続することを特徴とするディジタル交換装置。
【請求項２】
請求項１に記載の装置において、前記ＬＡＮ  インターフェース手段は、異常時用のラインに第１および第２の情報交換手段におけるケーブルの空いたラインを対に用いることを特徴とするディジタル交換装置。
【請求項３】
複数のネットワークから供給される情報を処理の異なる装置間でLAN を介してディジタル交換を行う際の通信制御方法において、該方法は、
前記装置のそれぞれをつなぐLANの接続にインタフェース手段を用意し、該インタフェース手段の接続が空いた部分にあらかじめ装置間のラインを通常時と異常時とに分けて情報を伝えるライン接続が行われている場合、
ディジタル通信を行う一方の装置に異常を検出した際に、該検出に応じて他方の装置に制御信号を出力する異常制御工程と、
該異常制御工程からの制御信号としてライン接続を切り換える駆動信号を前記他方の装置に供給する駆動信号供給工程と、
該駆動信号供給工程の駆動信号によりライン接続を切り換える接続切換工程とを含むことを特徴とする通信制御方法。
【請求項４】
請求項３に記載の方法において、前記異常状態の検出は、前記一方の装置の出力するパケットに対する前記他方の装置からの反応に応じて行うことを特徴とする通信制御方法。
【請求項５】
請求項３に記載の方法において、該方法は、復電時において前記一方の装置からの情報出力に対する前記他方の装置からの応答を検出した際に通常状態に復帰させる処理を行うことを特徴とする通信制御方法。
【請求項６】
複数のネットワークから供給される情報を処理の異なる複数の装置をＬＡＮ  で接続するＬＡＮ  接続方法において、該方法は、
前記各装置をつなぐＬＡＮ  の接続に用いるインターフェース手段を用意し、該インターフェース手段の接続が空いた部分に前記ネットワークと接続している手段から通常時および異常時の伝送ラインをそれぞれ接続するとともに、前記通常時と前記異常時の伝送ラインの接続を切り換える切換情報を供給する情報提供ラインも接続することを特徴とするＬＡＮ  接続方法。
【発明の詳細な説明】
【０００１】
【発明の属する技術分野】
本発明は、ディジタル交換装置および通信制御方法に係り、たとえば、公衆網や加入者線などのネットワークからの音声信号をＩＰパケット化し、このパケットをＬＡＮ  等により複数のネットワークとディジタル交換する複数に分かれた交換部を含み、停電時における通信ルートの確保など障害対策に用いて好適なものである。
【０００２】
【従来の技術】
ローカルエリア内で通信を行うネットワークとしてディジタル構内交換機（Ｐｒｉｖａｔｅ  Ｂｒａｎｃｈ  ｅＸｃｈａｎｇｅ：以下、ＰＢＸ  という）には、一般アナログ公衆網（ＰＳＴＮ：  Ｐｕｂｌｉｃ  Ｓｗｉｔｃｈｅｄ  Ｔｅｌｅｐｈｏｎｅ  Ｎｅｔｗｏｒｋ）を収容する回路とアナログ加入者線を収容する回路（Ｓｕｂｓｃｒｉｂｅｒ  Ｌｉｎｅ  Ｉｎｔｅｒｆａｃｅ  Ｃｉｒｃｕｉｔ：以下、ＳＬＩＣという）とのパケット処理を含むインターフェース、交換スイッチ部、および制御系を同一のＰＢＸ  内に設けているものがある。この構成において、停電の通話に対応するためＰＢＸ  には、電源電圧を監視する監視装置とともに、たとえば、停電が検出された際に両方の回路を結ぶ別ルートも確保されている。このルートは、装置内の公衆網インターフェースとＳＬＩＣインターフェースとを直接接続する。ＳＬＩＣでは、たとえば、電圧監視により停電検出を行い、この検出に応じてＳＬＩＣ内に設けたリレーが切り換えられるように制御部を介してリレー駆動電圧が供給される。この停電時対策は、一般的に、上述した直通ルートの切換えにより行われている。
【０００３】
また、ローカルエリア内で通信を行うネットワークとして前述したディジタルＰＢＸ  の他に、ＬＡＮ  （Ｌｏｃａｌ  Ａｒｅａ  Ｎｅｔｗｏｒｋ  ：以下、ＬＡＮ  という）を用いたものがある。ＬＡＮ  では、通信速度１〜１００Ｍｂｐｓ  のデータ端末がＬＡＮ  スイッチ部とたとえば、撚り線や光ケーブルを介して直接接続されている。各端末とは、ＭＡＣ  （Ｍｅｄｉａ  Ａｃｃｅｓｓ  Ｃｏｎｔｒｏｌ  ）形式でデータ交換される。ＬＡＮ  では各端末との交信をＭＡＣ  アドレスおよび端末番号を用いて直接行うので交換機を用いないコネクションレス交換方式が採用されている。最近、ＬＡＮ  は、インターネット電話を利用した音声データの通信が行われてきている。インターネット電話は、通信プロトコルに沿ったソフトウェアを実行して通話を行っている。
【０００４】
ＬＡＮ  の普及に伴って、前述したディジタルＰＢＸ  とインターネット電話とのネットワークが併存する場合がある。すなわち、伝送路の種類や交換方式が異なるネットワークの併存である。これらの併存するネットワークや公衆通信網等の間での音声データ通信を総合的に行う交換システムとしてＩＰ−ＰＢＸという交換システムが提案されている。ここで、ＩＰとは、インターネットとの接続を行うためプロトコルを示すインターネットプロトコルの略である。
【０００５】
ＩＰ−ＰＢＸ接続を行う交換システム（以下、ＩＰ−ＰＢＸという）の停電時対策も前述したディジタルＰＢＸ  内に公衆網およびＳＬＩＣのパケット処理を含むインターフェースを収容している場合、ＬＡＮ  スイッチ部を介さず、別な直通ルートの切換えにより行っている。
【０００６】
【発明が解決しようとする課題】
ところで、前述した構成は、ＩＰ−ＰＢＸにおいて公衆網とＳＬＩＣの接続を可能にするようにこれらのインターフェースを同一のＰＢＸ  内に設置した場合の構成であるが、ＩＰ−ＰＢＸ接続のＰＢＸ  において公衆網と加入者線のインターフェースをそれぞれ分割して設置する場合がある。分割して設置した２つのＩＰ−ＰＢＸ接続の交換機（ＰＢＸ  ）には、たとえば、１０ＢＡＳＥ−Ｔで最長１００ｍのＬＡＮ  ケーブルの敷設を行うとともに、この場合も前述と同様に停電対策を採ると、敷設したＬＡＮ  ケーブルの程度の長さに両者を結ぶルート用としてケーブルを別に設けることになる。
【０００７】
また、個々のＬＡＮ  間の接続にルータを用い、広域ネットワーク（Ｗｉｄｅ  Ａｒｅａ  Ｎｅｔｗｏｒｋ：以下、ＷＡＮ  という）を構成するＬＡＮ  間接続装置が特開平１１−４６２０７号公報に記載されている。この装置は、ＷＡＮ  側に二重化切替のための冗長なルートを持たせず、系の切替え時ルーティング情報の書換えも行わず、切替時にネットワーク上に同一ＩＰアドレスが存在することのないようにして、ルータを構成するハード／ソフトウェアの全般にわたって障害検出することができ、ネットワーク管理装置で待機系の状態監視も行う。このために、ＬＡＮ  間接続装置は、二重化切替に対応してルータを２台設けて切替制御して通信する。しかしながら、この対策は、冗長な構成になってしまう。
【０００８】
本発明はこのような従来技術の欠点を解消し、公衆網対応の交換機とＳＬＩＣ対応の交換機のように外部のネットワークと対応する交換機が分割されている場合でも障害対策に費用をかけずに、適切な処理を行うことのできるディジタル交換装置および通信制御方法を提供することを目的とする。
【０００９】
本発明は上述の課題を解決するために、複数のネットワークから供給される情報を処理の異なる装置間でＬＡＮ  を介してディジタル交換を行うディジタル交換装置において、供給される情報を所望の各供給先のネットワークに切り換える交換手段、この交換手段との情報のやり取りをプロトコルに応じて処理するともに、この情報を接続するネットワークに対応したそれぞれの情報に変換する第１の情報変換手段、第１の情報変換手段とネットワークの一つとの情報の入出力を行う第１のインターフェース手段、この装置の状態異常に応じてネットワークの接続を切り換える第１の切換手段、およびこの装置の状態の異常検知に応じてこの切換手段を制御する制御手段を含む第１の情報交換手段と、ＬＡＮ  を介して交換手段とやり取りする情報を変換する第２の情報変換手段、この第２の情報交換手段と接続するネットワークの一つとの情報の入出力を行う第２のインターフェース手段、および第２のインターフェース手段の接続先であるネットワークと接続するとともに、第２のインターフェース手段との接続とこの装置の異常時における別ルートの回路の接続を第１の情報交換手段からの情報に応じて切り換える第２の切換手段を含む第２の情報交換手段と、第１の情報交換手段と第２の情報交換手段とにそれぞれＬＡＮ  接続する複数ラインを有するＬＡＮ  インターフェース手段とを含み、ＬＡＮ  インターフェース手段においては、第１のインターフェース手段と通常時および異常時の伝送ラインとをそれぞれ接続するとともに、第１の切換手段からの切換情報を供給する情報提供ラインを第１の情報交換手段側のＬＡＮ  インターフェース手段と接続し、第２のインターフェース手段との通常時用のライン接続、および第２の切換手段との異常時用のライン接続を行うとともに、第１の切換手段からの切換情報を第２の切換手段に供給するラインを第２の情報交換手段側のＬＡＮ  インターフェース手段と接続することを特徴とする。
【００１０】
ここで、ＬＡＮ  インターフェース手段は、異常時用のラインに第１および第２の情報交換手段におけるケーブルの空いたラインを対に用いることが好ましい。
【００１１】
本発明のディジタル交換装置は、第１および第２の情報交換手段のＬＡＮ  インターフェース手段で、第１および第２のインターフェース手段を通常時および異常時の伝送ラインをそれぞれ対をなすように接続するとともに、異常時に第１の切換手段からの切換情報を情報提供ラインを介して供給し、第２の情報交換手段の第２の切換手段で第１の切換手段からの切換情報に応じてラインの接続を切り換えて、異常時における両装置が接続するネットワーク間のルートを確保する。
【００１２】
また、本発明は上述の課題を解決するために、複数のネットワークから供給される情報を処理の異なる装置間でＬＡＮ  を介してディジタル交換を行う際の通信制御方法において、あらかじめ装置間のラインを通常時と異常時とに分けて情報を伝えるライン接続が行われている場合、ディジタル通信を行う一方の装置に異常を検出した際に、この検出に応じて他方の装置に制御信号を出力する異常制御工程と、この異常制御工程からの制御信号としてライン接続を切り換える駆動信号を他方の装置に供給する駆動信号供給工程と、この駆動信号供給工程の駆動信号によりライン接続を切り換える接続切換工程とを含むことを特徴とする。
【００１３】
ここで、異常状態の検出は、一方の装置の出力するパケットに対する他方の装置からの反応に応じて行うことが好ましい。すなわち、たとえば他方の装置から反応がない場合が相当する。
【００１４】
また、この通信制御方法は、復電時において一方の装置からの情報出力に対する他方の装置からの応答を検出した際に通常状態に復帰させる処理を行うことが望ましい。
【００１５】
本発明の通信制御方法は、一方の装置での異常検出に応じて制御信号を駆動信号を他方の装置に供給して、他方の装置におけるライン接続を切り換えることにより、障害の有無に関わらず、ディジタル交換するネットワークへのルートの確保が可能になる。
【００１６】
さらに、本発明は上述の課題を解決するために、複数のネットワークから供給される情報を処理の異なる複数の装置をＬＡＮ  で接続するＬＡＮ  接続方法において、各装置をつなぐＬＡＮ  の接続に用いるインターフェース手段を用意し、このインターフェース手段の接続が空いた部分にネットワークと接続している手段から通常時および異常時の伝送ラインをそれぞれ接続するとともに、通常時と異常時の伝送ラインの接続を切り換える切換情報を供給する情報提供ラインも接続することを特徴とする。
【００１７】
これにより、インターフェース手段の未接続を有効に利用することができ、別途に異常時、特に停電時における装置間の直通ルートの敷設を回避することができる。
【００１８】
【発明の実施の形態】
次に添付図面を参照して本発明によるディジタル交換装置の一実施例を詳細に説明する。
【００１９】
本発明を適用したディジタル交換機１０は、伝送路の種類や交換方式の異なるネットワークが併存しても、たとえばネットワークや公衆通信網等の間での音声データ通信を総合的に行える交換システムである。具体的に示すと、ディジタル交換機１０は、図１に示すように、インターネットプロトコル（ＩＰ）  接続可能な構内交換機（ＰＢＸ：  Ｐｒｉｖａｔｅ  Ｂｒａｎｃｈ  ｅＸｃｈａｎｇｅ）１０Ａ，  １０Ｂを２つ用い、この間をＬＡＮ  接続したものである。この構成の構内交換機を以下においてＩＰ−ＰＢＸとする。ここで、ＩＰ−ＰＢＸ  １０Ａには、公衆網ＩＦ部１２Ａ  、パケット処理部１４Ａ  、ＬＡＮ  スイッチ部１６、制御部１８および接続切換部２０Ａ  が備えられている。また、ＩＰ−ＰＢＸ  １０Ｂには、パケット処理部１４Ｂ  、ＳＬＩＣ  ２２  および接続切換部２０Ｂ  が備えられている。そして、ＩＰ−ＰＢＸ  １０ＡとＩＰ−ＰＢＸ  １０Ｂは、それぞれに有するＬＡＮ  インターフェース部２４Ａ，  ２４Ｂの間をＬＡＮ  ケーブル２６でつなぐ。本実施例でＬＡＮ  ケーブル２６は、最大８本を束ねて用いる。ＩＰ−ＰＢＸ  １０Ａは、図示しないが、たとえば、ルータ／ゲートウェイを介してインターネット３０に接続する他、公衆網３２とつながっている。また、ＩＰ−ＰＢＸ  １０Ｂは、たとえば加入者線３４を介して電話機４０と接続している。
【００２０】
さらに、各部の構成について説明する。公衆網ＩＦ部１２Ａ  は、接続する公衆網または回線の種類に応じてインターフェースを設定する。公衆網ＩＦ部１２Ａ  には、少なくともＰＳＴＮ（Ｐｕｂｌｉｃ  Ｓｗｉｔｃｈｅｄ  Ｔｅｌｅｐｈｏｎｅ  Ｎｅｔｗｏｒｋ）のインターフェース回路を含んでいる。公衆網には、電話回線、パケット交換網、ＩＳＤＮ（Ｉｎｔｅｇｒａｔｅｄ  Ｓｅｒｖｉｃｅｓ  Ｄｉｇｉｔａｌ  Ｎｅｔｗｏｒｋ  ）、フレームリレー網、セルリレー網などがある。これらに合わせてトランク回路を設ける。トランク回路には、ＰＢＸ  とアナログ電話網とを接続するアナログ局線インターフェース回路やＩＳＤＮの基本インターフェースや１次群速度インターフェースに基づくディジタル局線インターフェース回路およびパケット網インターフェース回路などが備えられている。
【００２１】
パケット処理部１４Ａ，  １４Ｂは、発信側から供給されるデータを所定の長さのブロック、すなわちパケットに区切って、さらに各パケットに宛名や送信順序を付して蓄積し、出力する処理を行う。ＬＡＮ  スイッチ部１６は、ＰＢＸ  におけるディジタルスイッチ、すなわちハイウェイスイッチに相当する。ＬＡＮ  スイッチ部１６は、クロスバッチスイッチに相当するゲート回路を含み、制御部１８の制御に応じてゲートの開閉を行う。また、構成するＬＡＮ  の端末に対してみると、通話路スイッチとみなすこともできる。ＬＡＮ  スイッチ部１６は各端末とＭＡＣ  アドレスおよび端末番号を用いて直接交信する切換え部である。
【００２２】
制御部１８は、ディジタル交換機１０を制御する  ＣＰＵ（Ｃｅｎｔｒａｌ  Ｐｒｏｃｅｓｓｉｎｇ  Ｕｎｉｔ  ）  を有する。制御部１８は、呼処理、障害、保守・運用および実行管理といった交換に関する処理を同時にこなす。制御部１８は、本実施例の後段で説明するように、障害発生時に対応した制御信号を送出する。また、停電時では、この制御信号としてリレー駆動信号が接続切換部２０Ａ  に供給されないことを利用する。
【００２３】
接続切換部２０Ａ，  ２０Ｂは、図２に示すように、ともに、コイルと信号切換を行うスイッチを含むリレー回路を有する。接続切換部２０Ａ  は、リレー回路２０ａ  を一つ含む。リレー回路２０ａ  のコイルＬ１は、一端を制御部１８と接続し、他端を接地させている。リレースイッチの接点ａ  は電源＋Ｖに接続され、接点ｂ  は、電源−Ｖに接続されている。しかしながら、停電時には、電源オフ状態になり、接点ａ  側に可動片を付勢または引付けさせることはできない（図２を参照）。これは、後述するリレー回路２０Ｂ，  ２０Ｃでも同様である。
【００２４】
接続切換部２０Ｂ  は、２つのリレー回路２０ｂ，  ２０ｃを含む。リレー回路２０ｂ，  ２０ｃのコイルＬ２，  Ｌ３は、一端を共通接続し、他端をそれぞれ接地させる。そして、共通接続の元は、リレー回路２０ａ  の接点ｃ  である。リレー回路２０ｂ  の接点ｄ  とリレー回路２０ｃ  の接点ｇ  は、通常時の伝送路と接続されリレー回路２０ｂ  の接点ｅ  とリレー回路２０ｃ  の接点ｈ  は、異常時の伝送路と接続される。この接続により、通常と異常において切り換えられた伝送路、接点ｆ，  ｉを介して公衆網３２−電話機４０（図１を参照）との回線を確保する。リレー回路２０Ｂ，  ２０Ｃには、停電時、リレー回路２０Ａ  からのリレー駆動信号としてのリレー駆動電圧が供給されなくなるので、リレー回路の各可動片が通常時の接点ｄ，  ｇから異常時の接点ｅ，  ｈに変位する。
【００２５】
ＳＬＩＣ  ２２  は、広義の加入者回路である。ＳＬＩＣ  ２２  は、電話機に対する通話電流の供給、呼出信号の送出、終話監視等の加入者インターフェース機能、加入者種別に応じたサービス機能も含めて集約している。
【００２６】
ＬＡＮ  インターフェース部２４Ａ，  ２４Ｂには、ともにＬＡＮ  専用のＲＪ４５という８ピンのモジュールコネクタを用いる。コネクタの接続するピン番号と信号との関係を図３に示す。ＬＡＮ  における信号（データ）伝送は、平衡伝送で行うことから、図３の信号名における”＋  ”，  ”−”は、信号の極性を表す。ＲＪ４５のモジュラコネクタにおけるピン番号１，  ２は送信データ、ピン番号３，  ６は受信データを通す。本実施例では、これまでのＬＡＮ  インターフェース部２４Ａ，  ２４Ｂにおいてピン番号４，  ５，  ７，  ８が空きピンになっていることを利用する。すなわち、ＬＡＮ  インターフェース部２４Ａ  は、たとえば、公衆網ＩＦ部１２で通常時の伝送路と異常時の伝送路を接続しておき、それぞれ、他端側をピン番号４，  ５と接続する。ＬＡＮ  インターフェース部２４Ｂ  では、一端側としてピン番号４，  ５とそれぞれ、接続切換部２０Ｂ  の接点ｅ，  ｈとを接続して異常時における伝送路を確保する。また、ピン番号７  は、ＩＰ−ＰＢＸ  １０ＡとＩＰ−ＰＢＸ  １０Ｂの接続切換を報知する信号の伝送路として用いる。すなわち、リレー回路２０Ａ  の接点ｃ  とＬＡＮ  インターフェース部２４Ａ  でのピン番号７  が接続され、ＬＡＮ  インターフェース部２４Ｂ  でのピン番号７  とリレー回路２０Ｂ，  ２０Ｃの接点ｅ，  ｈが接続される。
【００２７】
このように、一方の伝送には、空きピン４本のうち、ラインが３本必要でこれらのうち、どれを用いてもよい。この接続をあらかじめしておくことで、直通切換用のケーブルを別途敷設しないで済ますことができる。
【００２８】
次に、ディジタル交換機１０の通常時および停電時での動作についてタイミングチャートを用いて説明する。図４のタイミングチャートは、５つの期間に分けてディジタル交換機１０の動作を示す。すなわち、期間Ｔ１は通常の運用時、期間Ｔ２は制御部１８による切換え期間、期間Ｔ３は期間Ｔ２からの切戻し期間、期間Ｔ４は停電時、期間Ｔ５は復電時である。ＩＰ−ＰＢＸ  １０Ａは、停電時の期間Ｔ４を除いて電源供給される（図４（ａ）  を参照）。
【００２９】
各期間Ｔ１〜Ｔ５における動作を順次タイミングチャートを参照しながら見ていくと、通常時（期間Ｔ１）で制御部１８は、リレー制御信号としてレベル「Ｈ  」を接続切換部２０Ａ  に出力する（図４（ｂ）  を参照）。リレー回路２０Ａ  は、リレー制御信号に応じてコイルＬ１の電磁力により可動片を付勢または引き付けて接点ａ  と接触するようにする。この状態を閉じた状態という（図４（ｃ）  を参照）。このとき、接点ａ，  ｃを介してリレー回路２０Ａ  は、リレー駆動信号をＩＰ−ＰＢＸ  １０Ｂの接続切換部２０Ｂ  に供給する。この結果、ＩＰ−ＰＢＸ  １０Ｂに対するリレー駆動信号は、ＩＰ−ＰＢＸ  １０Ａの電源電圧を見ていることになる（図４（ｄ）  を参照）。このとき、ＩＰ−ＰＢＸ  １０Ｂは、正常に動作しているので、電源電圧はレベル「Ｈ  」である。リレー回路２０Ｂ，  ２０Ｃの接点ｄ，  ｇは、可動片との閉状態にあり、接点ｅ，  ｈは、可動片との開状態にある。したがって、通常時の伝送路が確保される。電話機４０は、公衆網３２と接続される。
【００３０】
次に、期間Ｔ２での制御部１８による制御の場合を説明する。この場合、制御部１８は、障害発生を検出した際にリレー制御信号をレベル「Ｌ  」にする（図４（ｂ）  を参照）。音声以外のチェック用ＩＰパケットをＩＰ−ＰＢＸ  １０Ｂに出力させる。このＩＰパケットは、たとえば、ＴＣＰ／ＩＰネットワーク上の任意のコンピュータに対して接続性を確認するためのコマンドであるピング（ｐｉｎｇ）パケットなどがある。ピングを出力することにより、たとえば、対象のコンピュータが稼動中で通信可能かどうかをＩＰレベルで確認する。たとえば、ＩＰ−ＰＢＸ  １０Ｂからの反応がなかった場合、制御部１８は、ＩＰ−ＰＢＸ  １０Ｂが停電状態にあるか、ＬＡＮ  障害が発生しているとみなして前述したようにリレー回路２０Ａ  に対してレベル「Ｌ  」を出力する。これに伴って、リレー回路２０Ａ  は、接点ａ  を開状態にする。このとき、ＩＰ−ＰＢＸ  １０Ａの電源は確保されているので、この異常に対応して接点ｂ  を介して電圧−ＶをＩＰ−ＰＢＸ  １０Ｂに供給するようにしてもよい（図２を参照）。図４（ｄ）  のリレー駆動信号では、便宜上  ＧＮＤレベルと同じでもよく、リレーのコイルＬ１への印加電圧がなくなるので、リレー接点が開状態になる。このリレー駆動信号の供給または駆動信号のなくなることにより、リレー回路２０Ｂ，  ２０Ｃでは、それぞれリレー接点ｄ，  ｇが開状態、リレー接点ｅ，  ｈが閉状態になる。異常に応じて通常の伝送路から異常時の伝送路への切換えがこのように行われる。異常からの復帰、すなわち制御の切戻しは、ＩＰ−ＰＢＸ  １０Ｂからの応答があった場合、制御部１８は復旧したと判断してリレー制御信号をレベル「Ｈ  」にする。この結果、図４が示すように、期間Ｔ３の動作は、期間Ｔ２と逆になる。そして、通常の伝送路の状態に切り換わる。
【００３１】
また、ＩＰ−ＰＢＸ  １０Ａにて停電した際に（期間Ｔ４）、電源供給が断たれることから（図４（ａ）  を参照）、制御部１８の制御も直接的に行えなくなる。また、電源電圧がなくなることは、ＩＰ−ＰＢＸ  １０Ｂへのリレー駆動信号がなくなる。したがって、ＩＰ−ＰＢＸ  １０Ｂにおけるリレー回路２０Ｂ，  ２０Ｃでは、リレー接点ｄ，  ｇが開状態になり、リレー接点ｅ，  ｈが閉状態になる。このリレー接点の状態変化により、異常時用に確保しておいた伝送路がアクティブになる。これにより、電話機４０と公衆網３２が直接接続されるので、ディジタル交換機１０が停電に遭っても、たとえば音声通話が確保されることになる。
【００３２】
さらに、期間Ｔ５の場合、復電時にまず、ＩＰ−ＰＢＸ  １０Ａの制御部１８を立ち上げる。制御部１８は、前述したチェック用のコマンドをＩＰ−ＰＢＸ  １０Ｂに対して出力する。この出力に対する応答がＩＰ−ＰＢＸ  １０Ｂからあるかどうか制御部１８は判定する。応答があった場合、制御部１８はＩＰ−ＰＢＸ  １０Ｂが正常と判断して図４（ｂ）  のリレー駆動信号をレベル「Ｈ  」にする。このリレー駆動信号の供給に応じてＩＰ−ＰＢＸ  １０Ｂの接続切換部２０Ｂ  は期間Ｔ３と同様に接続を切り換えて通常の伝送路に戻す。
【００３３】
以上のように構成することにより、構成が２つに分かれた、たとえばＩＰ−ＰＢＸ  １０Ａ，  １０Ｂ  でもＬＡＮ  インターフェース部２４Ａ，  ２４Ｂの空きピンを有効に用いて通常時の伝送路だけでなく、異常時および／または停電時に用いる伝送路も接続しておき、ＬＡＮ  ケーブル２６で直通のルートを確保するとともに、異常や停電に対応した接続切換を制御部１８の制御に応じて接続切換部２０Ａ  からリレー駆動信号を接続切換部２０Ｂ  に供給して伝送路を適切に切り換えることにより、直通ルートを確保している。これにより、別途敷設しておく必要性をなくすことができる。この接続は、通常の伝送路の確保と同じにできるので、現場における煩雑な作業も回避することができる。
【００３４】
なお、本実施例では、インターネット、公衆網、加入者線の接続する２つに分けた構成をＬＡＮ  接続したディジタル交換機１０を用いて説明したが、この構成に限定されるものでなく、より多くのＬＡＮ  接続でも同様に対応できることは言うまでもない。
【００３５】
【発明の効果】
このように本発明のディジタル交換装置によれば、第１および第２の情報交換手段のＬＡＮ  インターフェース手段で、第１および第２のインターフェース手段を通常時および異常時の伝送ラインをそれぞれ対をなすように接続するとともに、異常時に第１の切換手段からの切換情報を情報提供ラインを介して供給し、第２の情報交換手段の第２の切換手段で第１の切換手段からの切換情報に応じてラインの接続を切り換えて、異常時における両装置が接続するネットワーク間のルートを確保でき、ＬＡＮ  インターフェース手段の空きラインの有効利用を行うことによって従来のように別線の敷設を避けることができ、敷設に要するコストも低減するという効果を奏することができる。
【００３６】
また、本発明の通信制御方法によれば、一方の装置での異常検出に応じて制御信号を駆動信号を他方の装置に供給して、他方の装置におけるライン接続を切り換えると、障害の有無に関わらず、ディジタル交換するネットワークへのルートの確保が可能になることから、通信の信頼性を高めることができる。
【００３７】
本発明のＬＡＮ  接続方法によれば、各装置をつなぐＬＡＮ  の接続に用いるインターフェース手段を用意し、このインターフェース手段の接続が空いた部分にネットワークと接続している手段から通常時および異常時の伝送ラインをそれぞれ接続するとともに、通常時と異常時の伝送ラインの接続を切り換える切換情報を供給する情報提供ラインも接続して、インターフェース手段の未接続を有効に利用することにより、別途に異常時、特に停電時における装置間の直通ルートの敷設を回避することができ、ＬＡＮ  設置のコストを下げることができる。
【図面の簡単な説明】
【図１】本発明に係るディジタル交換装置を適用したディジタル交換機の概略的なブロック図である。
【図２】図１の接続切換部の接続構成を模式的に示す図である。
【図３】図１のＬＡＮ  インターフェース部でのピン配置と信号の関係を示す図である。
【図４】図１のディジタル交換機の通常時および異常時の動作を説明するタイミングチャートである。
【符号の説明】
１０  ディジタル交換機
１６  ＬＡＮ  スイッチ部
１８  制御部
２２  ＳＬＩＣ
１０Ａ，  １０Ｂ  ＩＰ−ＰＢＸ
１２Ａ  公衆網ＩＦ部
１４Ａ，  １４Ｂ  パケット処理部
２０Ａ，  ２０Ｂ  接続切換部
２４Ａ，  ２４Ｂ  ＬＡＮ  インターフェース部
【図１】
0003628918.tif 000002
【図２】
0003628918.tif 000003
【図３】
0003628918.tif 000004
【図４】
0003628918.tif 000005